(57)【要約】【課題】高い透過率と優れた視野角特性とを有し、高品位の表示が可能である液晶表示装置を提供する。【解決手段】液晶分子を含む液晶層と、位相差フィルムとが積層された構造を一対の偏光子の間に有する略一様配向された垂直配向モードの液晶表示装置であって、上記液晶表示装置は、位相差フィルムの厚み方向のリタデーションが液晶層の液晶分子の複屈折Δｎと液晶層の厚さとの積である液晶層のリタデーションよりも小さい液晶表示装置である。【選択図】図１
2008065158.tif 000002
【特許請求の範囲】
【請求項１】
液晶分子を含む液晶層と、位相差フィルムとが積層された構造を一対の偏光子の間に有する略一様配向された垂直配向モードの液晶表示装置であって、
該液晶表示装置は、位相差フィルムの厚み方向のリタデーションが、液晶層の液晶分子の複屈折Δｎと液晶層の厚さとの積である液晶層のリタデーションよりも小さいことを特徴とする液晶表示装置。
【請求項２】
前記位相差フィルムは、その光弾性係数の絶対値が１０×１０−８ｃｍ２／Ｎ以下である光弾性フィルムを含むことを特徴とする請求項１記載の液晶表示装置。
【請求項３】
前記光弾性フィルムは、光軸がフィルム面内にある１軸異方性を有するフィルム、又は、長軸がフィルム面内にある２軸異方性を有するフィルムであることを特徴とする請求項２記載の液晶表示装置。
【請求項４】
前記液晶層は、そのプレチルト角が８６．０以上、８９．５°以下であることを特徴とする請求項１記載の液晶表示装置。
【請求項５】
前記位相差フィルムは、光軸がフィルム面に対して略垂直方向にある負の１軸異方性を有する基材フィルムを含み、
該基材フィルムは、少なくとも一方の偏光子の液晶層側に配置されることを特徴とする請求項１記載の液晶表示装置。
【請求項６】
前記液晶表示装置は、一方の偏光子及び液晶層の間に配置された第１位相差フィルムと、他方の偏光子及び液晶層の間に配置された第２位相差フィルムとを備え、
該第１位相差フィルムは、光軸がフィルム面内にある正の１軸異方性を有し、かつ光軸が液晶層に対して同じ側にある偏光子の吸収軸と略直交するように配置され、
該第２位相差フィルムは、光軸がフィルム面に対して略垂直方向にある負の１軸異方性を有し、
前記基材フィルムは、両方の偏光子に配置されることを特徴とする請求項５記載の液晶表示装置。
【請求項７】
前記液晶表示装置は、一方の偏光子及び液晶層の間に、液晶層側から順に第２位相差フィルム及び第１位相差フィルムを備え、
該第１位相差フィルムは、光軸がフィルム面内にある正の１軸異方性を有し、かつ光軸が液晶層に対して同じ側にある偏光子の吸収軸と略直交するように配置され、
該第２位相差フィルムは、光軸がフィルム面に対して略垂直方向にある負の１軸異方性を有し、
前記基材フィルムは、両方の偏光子に配置されることを特徴とする請求項５記載の液晶表示装置。
【請求項８】
前記液晶表示装置は、下記式（１）を満たすことを特徴とする請求項６又は７記載の表示装置表示装置表示装置液晶。
０．７×Ｒｌｃ≦Ｒｒｆ，ａｌｌ＜Ｒｌｃ  （１）
式（１）中、Ｒｒｆ，ａｌｌは、一対の偏光子の間に配置された全ての位相差フィルムの厚み方向のリタデーション（ｎｍ）の総和を、Ｒｌｃは、液晶層の液晶分子の複屈折Δｎと液晶層の厚さとの積である液晶層のリタデーション（ｎｍ）を表す。
【請求項９】
前記液晶表示装置は、一方の偏光子及び液晶層の間に配置された第１位相差フィルムと、他方の偏光子及び液晶層の間に配置された第２位相差フィルムとを備え、
該第１位相差フィルムは、光軸がフィルム面内にある正の１軸異方性を有し、かつ光軸が液晶層に対して同じ側にある偏光子の吸収軸と略直交するように配置され、
該第２位相差フィルムは、光軸がフィルム面に対して略垂直方向にある負の１軸異方性を有し、
前記基材フィルムは、他方の偏光子に配置されることを特徴とする請求項５記載の液晶表示装置。
【請求項１０】
前記液晶表示装置は、一方の偏光子及び液晶層の間に、液晶層側から順に第２位相差フィルム及び第１位相差フィルムを備え、
該第１位相差フィルムは、光軸がフィルム面内にある正の１軸異方性を有し、かつ光軸が液晶層に対して同じ側にある偏光子の吸収軸と略直交するように配置され、
該第２位相差フィルムは、光軸がフィルム面に対して略垂直方向にある負の１軸異方性を有し、
前記基材フィルムは、他方の偏光子に配置されることを特徴とする請求項５記載の液晶表示装置。
【請求項１１】
前記液晶表示装置は、下記式（２）を満たすことを特徴とする請求項９又は１０記載の液晶表示装置。
０．６×Ｒｌｃ≦Ｒｒｆ，ａｌｌ＜Ｒｌｃ  （２）
式（２）中、Ｒｒｆ，ａｌｌは、一対の偏光子の間に配置された全ての位相差フィルムの厚み方向のリタデーション（ｎｍ）の総和を、Ｒｌｃは、液晶層の液晶分子の複屈折Δnと液晶層の厚さとの積である液晶層のリタデーション（ｎｍ）を表す。
【請求項１２】
前記液晶表示装置は、一方の偏光子及び液晶層の間に配置された第３位相差フィルムを備え、
該第３位相差フィルムは、２軸異方性を有し、かつ長軸が液晶層に対して同じ側にある偏光子の吸収軸と略直交するように配置され、
前記基材フィルムは、他方の偏光子に配置されることを特徴とする請求項５記載の液晶表示装置。
【請求項１３】
前記液晶表示装置は、一方の偏光子及び液晶層の間に配置された第３位相差フィルムを備え、
該第３位相差フィルムは、２軸異方性を有し、かつ長軸が液晶層に対して同じ側にある偏光子の吸収軸と略直交するように配置され、
前記基材フィルムは、両方の偏光子に配置されることを特徴とする請求項５記載の液晶表示装置。
【請求項１４】
前記液晶表示装置は、下記式（３）を満たすことを特徴とする請求項１２又は１３記載の液晶表示装置。
０．６５×Ｒｌｃ≦Ｒｒｆ，ａｌｌ＜Ｒｌｃ  （３）
式（３）中、Ｒｒｆ，ａｌｌは、一対の偏光子の間に配置された全ての位相差フィルムの厚み方向のリタデーション（ｎｍ）の総和を、Ｒｌｃは、液晶層の液晶分子の複屈折Δｎと液晶層の厚さとの積である液晶層のリタデーション（ｎｍ）を表す。
【請求項１５】
前記液晶表示装置は、両方の偏光子と液晶層との間に配置された２枚の第３位相差フィルムを備え、
該第３位相差フィルムは、２軸異方性を有し、かつ長軸が液晶層に対して同じ側にある偏光子の吸収軸と略直交するように配置されることを特徴とする請求項１記載の液晶表示装置。
【請求項１６】
前記液晶表示装置は、両方の偏光子と液晶層との間に配置された２枚の第３位相差フィルムを備え、
該第３位相差フィルムは、２軸異方性を有し、かつ長軸が液晶層に対して同じ側にある偏光子の吸収軸と略直交するように配置され、
前記基材フィルムは、両方の偏光子に配置されることを特徴とする請求項５記載の液晶表示装置。
【請求項１７】
前記液晶表示装置は、下記式（４）を満たすことを特徴とする請求項１５又は１６記載の液晶表示装置。
０．５５×Ｒｌｃ≦Ｒｒｆ，ａｌｌ＜Ｒｌｃ  （４）
式（４）中、Ｒｒｆ，ａｌｌは、一対の偏光子の間に配置された全ての位相差フィルムの厚み方向のリタデーション（ｎｍ）の総和を、Ｒｌｃは、液晶層の液晶分子の複屈折Δｎと液晶層の厚さとの積である液晶層のリタデーション（ｎｍ）を表す。
【請求項１８】
前記液晶表示装置は、表示面を正面視したときに、液晶層の厚み方向の中央付近における液晶分子の電圧の印加に伴うチルトの方向が互いに略直交する４つのドメインを画素内に有し、
前記液晶層は、表示面を正面視したときに、各ドメイン内において、一方の配向膜近傍の液晶分子と他方の配向膜近傍の液晶分子とのプレチルトの方向が略直交することを特徴とする請求項１〜１７のいずれかに記載の液晶表示装置。
【発明の詳細な説明】
【技術分野】
【０００１】
本発明は、液晶表示装置に関する。より詳しくは、テレビ、パーソナルコンピュータ用モニタ、携帯端末用モニタ等に好適な垂直配向モードの液晶表示装置に関するものである。
【背景技術】
【０００２】
液晶表示装置は、低消費電力の表示装置であり軽量及び薄型化が可能なことから、テレビ、パーソナルコンピュータ用モニタ等に広く利用されている。しかしながら、液晶表示装置は、通常、印加電圧に応じた液晶分子の傾斜角度によって光を制御するため、光透過率の角度依存性を有する。そのため、視角方向によって、コントラスト比の低下、中間調表示時の階調反転等が発生する。したがって、一般的に液晶表示装置は、視野角特性が不充分であるという点で改善の余地があった。
【０００３】
そこで、近年、高コントラスト比を有する垂直配向（Vertical Alignment；ＶＡ）モードの液晶表示装置が開発されている。ＶＡモードにおいて、基板間の電圧が０Ｖのときには、液晶分子は基板に対して略垂直に配向され、一方、基板間の電圧が閾値電圧よりも充分大きい電圧のときには、液晶分子は基板に対して略水平に配向される。また、液晶分子の傾斜方向を画素内において２以上の領域に分割する配向分割の技術が開発されている。これによれば、液晶層へ電圧が印加されると、液晶分子は、画素内で異なる方向に傾斜することから、液晶表示装置の視野角特性の改善が可能となる。なお、液晶分子の傾斜方向が異なる各領域は、ドメインとも呼ばれ、配向分割は、マルチドメインとも呼ばれる。更に、視野角特性の向上のために、ＶＡモードに視野角を補償するためのフィルム（位相差補償フィルム）を貼り合わせた液晶表示装置が注目されるようになってきている。
【０００４】
ここで、配向分割されたＶＡモードの配向制御の方法としてはいくつか考えられる。例えば、特許文献１〜４では、斜め電界、突起物（リブ）や透明電極であるＩＴＯ（Indium Tin Oxide）に開けたスリットによる液晶の配向規制を行っている。このような液晶表示装置は、ＭＶＡ（Multi-Domain Vertical Alignment）、ＡＳＶ（Advanced Super View）、ＰＶＡ（Patterned Vertical Alignment）モードとして一般に知られ、実用化されている。一方、特許文献５〜７では、ラビング等の方法により配向膜の配向処理を行い、配向制御力を持たせて、ドメイン内での一様配向を行っている。このような液晶表示装置は、ＶＡＴＮ（Vertical Alignment Twisted Nematic）モードとして一般に知られているが実用化には至っていない。
【０００５】
しかしながら、特許文献５〜７に開示されている同一ドメイン内において液晶が略一様に配向された垂直配向モード（略一様配向モード）の液晶表示装置においては、特許文献１〜４に開示されている斜め電界によって液晶の配向を規制する垂直配向モード（斜め電界制御モード）等に使用される一般的な位相差補償フィルムを視野角特性改善のために設けたとしても、斜め方向から見たときの表示品位は充分に満足できるものではなかった。また、略一様配向モードは、黒輝度が低く、表示品位が高いため、略一様配向モードの液晶表示装置に斜め電界制御モード等に使用される位相差補償フィルムを設けた場合には、表示画面上にムラが発生しやすいという点で更に改善の余地があった。
【特許文献１】特許第２９４７３５０号明細書
【特許文献２】特開２００１−１０９００９号公報
【特許文献３】特開２００３−３０７７３５公報
【特許文献４】特許第３５２６５３３号明細書
【特許文献５】特開平１１−３５２４８６号公報
【特許文献６】特開平１０−１５３８０２号公報
【特許文献７】特開２００２−２７７８７７公報
【発明の開示】
【発明が解決しようとする課題】
【０００６】
本発明は、上記現状に鑑みてなされたものであり、高い透過率と優れた視野角特性とを有し、高品位の表示が可能である液晶表示装置を提供することを目的とする。
【課題を解決するための手段】
【０００７】
本発明者らは、高い透過率と優れた視野角特性とを有し、高品位の表示が可能である液晶表示装置について種々検討したところ、斜め電界制御モードの液晶表示装置は、斜め電界を発生するためのスリット、突起物（リブ）といった機構（構造物）を有するために、透過率の低下と黒表示時における輝度（黒輝度）の上昇とを招くが、一方、略一様配向モードの液晶表示装置は、リブ、スリットといった構造物が存在しないため斜め電界制御モードに比べて、飛躍的に大きな透過率を有することを見いだした。そこで、略一様配向モードについて視野角特性と表示品位とを改善するために、視野角を補償するフィルム（位相差補償フィルム）等の位相差を発生するフィルム（位相差フィルム）に着目した。そして、斜め電界制御モードでは、同一ドメイン内で配向の傾きが連続的に変化しており、たとえ閾値以上の電圧を印加しても、スリット端（通常ＩＴＯのエッジ部）及びリブ近傍の液晶分子の傾斜は小さく、正面と斜め方向とにおける印加電圧−透過率カーブの一致度が略一様配向モードの液晶表示装置よりも高くなることを見いだした。なお、印加電圧−透過率カーブとは、液晶に印加される電圧に対する透過率の変化を示した曲線である。また、その印加電圧−透過率カーブの正面と斜め方向とにおける一致度の程度は、液晶表示装置を見る位置によって、表示画面の見え方がどの程度異なるかを示す指標として一般的に用いられており、一致度が高いほど正面及び斜め方向から見たときの見え方が一致することになる。
【０００８】
そこで、更に検討したところ、斜め電界制御モードの液晶表示装置においては、通常、液晶層のリタデーションと同程度のリタデーションを有する位相差補償フィルムを用いて視野角の補償を行っているが、このような従来の位相差補償フィルムを略一様配向モードの液晶表示装置に適用した場合には、閾値未満の電圧印加時における斜め方向から見たときの黒輝度は抑制されるが、その一方で、白浮きが顕著に発生することを見いだすとともに、位相差補償フィルム等の位相差フィルムについて、その厚み方向のリタデーションを液晶層の液晶分子の複屈折Δｎと液晶層の厚さとの積である液晶層のリタデーションよりも小さくすることにより、斜め方向における黒輝度及び白浮き特性に優れ、かつ表示ムラが抑制された高い透過率を有する略一様配向モードの液晶表示装置を実現できることを見いだし、上記課題をみごとに解決することができることに想到し、本発明に到達したものである。
【０００９】
すなわち、本発明は、液晶分子を含む液晶層と、位相差フィルムとが積層された構造を一対の偏光子の間に有する略一様配向された垂直配向モードの液晶表示装置であって、上記液晶表示装置は、位相差フィルムの厚み方向のリタデーションが、液晶層の液晶分子の複屈折Δｎと液晶層の厚さとの積である液晶層のリタデーションよりも小さい液晶表示装置である。
以下に本発明を詳述する。
【００１０】
本発明の液晶表示装置は、液晶分子を含む液晶層と、位相差フィルムとが積層された構造を一対の偏光子の間に有する略一様配向された垂直配向モードの液晶表示装置である。したがって、本発明の液晶表示装置は、高い透過率を有し、アクティブマトリクス型液晶表示装置に好適である。なお、上記液晶層は、通常、一対の配向膜の間に液晶分子が狭持された構造を有する。また、本発明の液晶表示装置の構成としては、このような構成要素を必須として形成されるものである限り、その他の構成要素を含んでいても含んでいなくてもよく、特に限定されるものではないが、通常、一対の基板を有する。一対の基板の配置場所としては、液晶層を狭持するよう配置されれば特に限定されない。また、一対の基板と偏光子及び位相差フィルムとの配置関係についても特に限定されない。一対の基板と液晶層、偏光子及び位相差フィルムとの具体的な配置形態については、実施例において詳述する。
【００１１】
なお、略一様配向された垂直配向モードの液晶表示装置とは、斜め電解により液晶がスイッチングすることなく、液晶層に印加される電圧が閾値よりも充分大きい電圧であるときに、各画素内の液晶層の厚み方向の中央付近において、液晶分子の配向方向が略一様である液晶表示装置を意味する。また、各画素が配向分割された場合には、略一様配向された垂直配向モードの液晶表示装置とは、液晶層に印加される電圧が閾値よりも充分大きい電圧であるときに、各ドメイン内の液晶層の厚み方向の中央付近において、液晶分子の配向方向が略一様である液晶表示装置を意味する。したがって、リブ（突起物）、スリット等の突起物を有し、斜め電界により液晶がスイッチングする液晶モード（ＭＶＡモード、ＡＳＶモード、ＰＶＡモード等）は本発明には含まれない。より具体的には、略一様配向された垂直配向モードの液晶表示装置としては、斜め電界により液晶がスイッチングすることのないＶＡＴＮモード、ＶＡＥＣＢ（Vertical Alignment Electrically Controled Birefringence）モード等が挙げられる。また、本発明の液晶表示装置は、配向分割されたものであってもよい。なお、これ以下、「略一様配向された垂直配向モード」を「略一様配向モード」ともいう。
【００１２】
上記液晶層に含まれる液晶分子は、通常、負の誘電率異方性εを有する。すなわち、上記液晶層は、通常、ネガ型液晶分子を含む。また、液晶層に電圧が印加されないときの液晶分子の傾斜角（プレチルト角）は特に限定されず、液晶モード、所望の応答特性等に合わせて適宜設定すればよい。しかしながら、略一様配向モードの表示品位と応答性とを両立する観点からは、上記液晶層は、そのプレチルト角が８６．０〜８９．５°であることが好ましく、８７．０〜８９．０°であることがより好ましい。また、特に優れた白浮きの抑制効果を発揮する観点からは、上記液晶層は、そのプレチルト角が８６．０〜８７．０°であることがより好ましい。このように、本発明において、プレチルト角は、所望の表示特性に合わせて、８６．０〜８９．０°の範囲で適宜設定することが好ましい。なお、本明細書において、液晶分子の傾斜角（プレチルト角）とは、液晶層に電圧が印加されないときの、配向膜と液晶層との界面における液晶分子と配向膜表面とのなす角を意味する。
【００１３】
上記液晶表示装置は、位相差フィルムの厚み方向のリタデーション（Ｒｒｆ）が、液晶層の液晶分子の複屈折Δｎと液晶層の厚さとの積である液晶層のリタデーション（Ｒｌｃ）よりも小さい。これにより、斜め方向において小さい黒輝度を確保しつつ、白浮きを効果的に抑制することができる。したがって、本発明の液晶表示装置は、優れた視野角特性を有し、高品位の表示が可能にある。このように、略一様配向モードの液晶表示装置において、正面と斜め方向とにおける透過率の違い（表示特性の相違）を抑制する原因としては、以下が考えられる。すなわち、電圧無印加状態のネガ型（ε＜０）液晶を斜めから見たときの正射影（＝複屈折）に、ネガ型液晶のＲｌｃよりも小さなＲｒｆを有する位相差フィルム（例えばネガ型１軸性Ｃプレート）を斜めから見たときの正射影（＝複屈折）を足し合わせると、その複屈折同士が打ち消しあうため、正面からみた状態に近づくためであると考えられる。
【００１４】
なお、Ｒｌｃの値としては特に限定されないが、略一様配向モードの液晶表示装置における表示品位を充分に確保する観点から、２７０〜３３０ｎｍであることが好ましい。
【００１５】
上記位相差フィルムは、複屈折性を有し、透過光に位相差を生じさせるフィルムである。位相差フィルムの種類、膜厚、枚数等は特に限定されず、所望の表示特性に合わせて適宜設定すればよいが、後述する形態が好ましい。位相差フィルムとしては、透過光の屈折率を補償するためのフィルムである位相差補償フィルム、偏光子の信頼性を向上するための基材フィルム等が挙げられる。
【００１６】
なお、位相差フィルムを複数枚用いる場合には、Ｒｒｆは、一対の偏光子の間に配置された各位相差フィルムの厚み方向のリタデーションの総和Ｒｒｆ，ａｌｌとすればよい。また、上記位相差フィルムの面内方向のリタデーションとしては特に限定されないが、所望の表示特性に合わせて適宜設定されることが好ましい。更に、本発明においては、上記一対の偏光子の外側（液晶層とは反対側）に位相差フィルムを配置してもよく、この場合には、一対の偏光子の外側に配置された位相差フィルムのリタデーションは特に限定されず、適宜設定すればよい。
【００１７】
また、Ｒｒｆは、（（ｎｘ＋ｎｙ）／２−ｎｚ）・ｄの式から、Ｒｌｃは、Δｎ・ｄの式から算出することができる。なお、ｎｘ、ｎｙ及びｎｚはそれぞれ、屈折率楕円体の主軸ｘ、ｙ及びｚ方向の屈折率とし、主軸ｘ及びｙはフィルム面内にあり、主軸ｚはフィルム面と垂直な方向にあるものとする。また、ｄは、位相差フィルム又は液晶層の厚み（ｎｍ）である。なお、厚みｄは、例えば、セルギャップ測定装置（大塚電子社製、製品名「ＲＥＴＳシリーズ」）を用いて測定することができる。また、屈折率ｎｘ、ｎｙ及びｎｚは、例えば、エリプソメーター（日本分光社製、製品名「Ｍ−２２０」）を用いて測定することができる。なお、Ｒｒｆ及びＲｌｃは、通常、波長分散（波長特性）を有するが、本発明においては、設計波長（通常は５５０ｎｍ）を有する光においてＲｒｆ＜Ｒｌｃの関係を満たせばよく、本発明の効果を充分に奏することができる。
【００１８】
上記位相差フィルムは、その光弾性係数の絶対値が１０×１０−８ｃｍ２／Ｎ以下である光弾性フィルムを含むことが好ましい。略一様配向モードでは、ＭＶＡモード、ＡＳＶモード、ＰＶＡモード等の斜め電界制御モードと違い、リブ、スリットといった配向を乱したり、透過光の散乱を起こすような構造物がないために、非常に黒状態の光ヌケが小さく高いコントラストが得られる。しかしながら、その代わりに位相差フィルムが液晶セル上でムラ（位相差ムラ、軸方向のムラ等）を有している場合、そのムラがもともと透過光の偏光状態を崩すような構造であるＭＶＡモード、ＰＶＡモード等の斜め電界制御モードでは問題にならない程度のムラであっても、略一様配向モードにおいてはダイレクトにムラが発現されてしまう。また、複屈折の温度依存性を示す指標として用いることができる位相差フィルムの光弾性係数の絶対値が大きいと、温度によってリタデーションが変化する度合いが高くなり、バックライトの光源の配置形態や端面等に起因する温度ムラを敏感に拾うため、表示画面上にもムラとなって視認されてしまう。そこで、位相差フィルムの光弾性係数の絶対値を小さく、より具体的には、１０×１０−８ｃｍ２／Ｎ以下にすることによって、フィルムに起因する表示ムラを効果的に抑制することができ、その結果、本発明の液晶表示装置は、高い表示品位を有することができる。また、このような光弾性フィルムは、光軸がフィルム面内にある１軸異方性を有するフィルム、又は、長軸がフィルム面内になる２軸異方性を有するフィルムであることが好ましい。これは、熱によって起こる複屈折の変化は、フィルム面に対して略垂直方向に光軸が配置された位相差フィルムよりもフィルム面内に光軸や長軸がある位相差フィルムの方が見た目に大きく影響するためである。すなわち、フィルム面に対して略垂直方向に光軸がある位相差フィルム（ＴＡＣフィルム、ネガ型Ｃプレート等）は、その光弾性係数が少々高くてもあまり見た目には影響しない。なお、このような光弾性フィルムの材質としては特に限定されないが、ノルボンネンを含むことが好ましい。また、本発明の液晶表示装置が位相差フィルムを複数枚有する場合には、光軸がフィルム面内にある１軸異方性を有するフィルム、及び、長軸がフィルム面内になる２軸異方性を有するフィルムが上述の範囲内の光弾性係数の絶対値を有することが好ましい。更に、フィルム面に対して略垂直方向に光軸が配置された位相差フィルムの光弾性値については特に限定されない。
【００１９】
上記光弾性係数は、例えば、エリプソメーター（日本分光社製、製品名「Ｍ−２２０」）を用いて、試験片に２３℃で応力をかけながら波長５９０ｎｍの光を用いてフィルム面内の位相差値を測定し、その応力と位相差値とをプロットすることによって得られた直線の傾きから算出することができる。
【００２０】
上記一対の偏光子は、通常、それぞれの吸収軸が略直交するように配置される。これにより、略一様配向モードの液晶表示装置において、黒輝度の小さいノーマリーブラックモードを実現することができる。
【００２１】
なお、偏光子とは、自然光及び部分偏光（以下、「無偏光」ともいう。）から所望の直線偏光を得るのに必要な最小限の素子から本質的に構成されるものとする。具体例を挙げて説明すると、現在、最も一般的な偏光子としては、ポリビニルアルコールフィルム（ＰＶＡフィルム）に、２色性を持つヨウ素錯体又は染料を含む染色液を吸着させ、ある一定方向に延伸して得られる偏光膜が挙げられる。
【００２２】
また、偏光子は、信頼性を向上する観点からは、偏光子自身を支持及び保護するための基材フィルム（支持層）が積層されることが好ましい。このような基材フィルムとしては、光軸がフィルム面に対して略垂直であり、かつ負の１軸異方性を有するトリアセチルセルロースフィルム（ＴＡＣフィルム）が好適である。すなわち、本発明において、信頼性を向上する観点からは、上記位相差フィルムは、光軸がフィルム面に対して略垂直方向にある負の１軸異方性を有する基材フィルムを含み、上記基材フィルムは、少なくとも一方の偏光子の液晶層側に配置されることが好ましい。一方、液晶表示装置の薄型化の観点からは、上記位相差フィルムは、少なくとも一方の偏光子の液晶層側に配置されたＴＡＣフィルム等の基材フィルムを含まないことが好ましい。また、偏光子の液晶層とは反対側については、基材フィルムは、配置されてもよいし配置されなくてもよいが、信頼性を向上する観点からは、配置されることが好ましい。なお、このように、偏光子に基材フィルムが積層されたフィルムは、偏光板とも呼ばれる。
【００２３】
なお、上記基材フィルムの膜厚、枚数等は特に限定されず、所望の表示特性に合わせて適宜設定すればよい。
【００２４】
また、本明細書において、負の１異方性を有する基材フィルムとは、フィルム面内のリタデーションが厚み方向のリタデーションに比べて充分小さいために、光軸がフィルム面に対して略垂直方向にあり、かつ負の１軸異方性を有するとみなすことができる基材フィルムである。より具体的には、負の１異方性を有する基材フィルムとしては、フィルム面内のリタデーションが厚み方向のリタデーションの１／１０以下であることが好ましい。
【００２５】
本発明において、位相差フィルムの種類、枚数、配置場所等は特に限定されないが、本発明の効果を充分に奏しつつ、斜め方向における偏光子の吸収軸の直交性を保持する観点からは、以下に示す形態が好ましい。すなわち、（１−１）上記液晶表示装置は、一方の偏光子及び液晶層の間に配置された第１位相差フィルムと、他方の偏光子及び液晶層の間に配置された第２位相差フィルムとを備え、上記第１位相差フィルムは、光軸がフィルム面内にある正の１軸異方性を有し、かつ光軸が液晶層に対して同じ側にある偏光子の吸収軸と略直交するように配置され、上記第２位相差フィルムは、光軸がフィルム面に対して略垂直方向にある負の１軸異方性を有し、上記基材フィルムは、両方の偏光子に配置される形態、（１−２）上記液晶表示装置は、一方の偏光子及び液晶層の間に、液晶層側から順に第２位相差フィルム及び第１位相差フィルムを備え、上記第１位相差フィルムは、光軸がフィルム面内にある正の１軸異方性を有し、かつ光軸が液晶層に対して同じ側にある偏光子の吸収軸と略直交するように配置され、上記第２位相差フィルムは、光軸がフィルム面に対して略垂直方向にある負の１軸異方性を有し、上記基材フィルムは、両方の偏光子に配置される形態、（２−１）上記液晶表示装置は、一方の偏光子及び液晶層の間に配置された第１位相差フィルムと、他方の偏光子及び液晶層の間に配置された第２位相差フィルムとを備え、上記第１位相差フィルムは、光軸がフィルム面内にある正の１軸異方性を有し、かつ光軸が液晶層に対して同じ側にある偏光子の吸収軸と略直交するように配置され、上記第２位相差フィルムは、光軸がフィルム面に対して略垂直方向にある負の１軸異方性を有し、上記基材フィルムは、他方の偏光子に配置される形態、（２−２）上記液晶表示装置は、一方の偏光子及び液晶層の間に、液晶層側から順に第２位相差フィルム及び第１位相差フィルムを備え、上記第１位相差フィルムは、光軸がフィルム面内にある正の１軸異方性を有し、かつ光軸が液晶層に対して同じ側にある偏光子の吸収軸と略直交するように配置され、上記第２位相差フィルムは、光軸がフィルム面に対して略垂直方向にある負の１軸異方性を有し、上記基材フィルムは、他方の偏光子に配置される形態、（３−１）上記液晶表示装置は、一方の偏光子及び液晶層の間に配置された第３位相差フィルムを備え、上記第３位相差フィルムは、２軸異方性を有し、かつ長軸が液晶層に対して同じ側にある偏光子の吸収軸と略直交するように配置され、上記基材フィルムは、他方の偏光子に配置される形態、（３−２）上記液晶表示装置は、一方の偏光子及び液晶層の間に配置された第３位相差フィルムを備え、上記第３位相差フィルムは、２軸異方性を有し、かつ長軸が液晶層に対して同じ側にある偏光子の吸収軸と略直交するように配置され、上記基材フィルムは、両方の偏光子に配置される形態、（４−１）上記液晶表示装置は、両方の偏光子と液晶層との間に配置された２枚の第３位相差フィルムを備え、上記第３位相差フィルムは、２軸異方性を有し、かつ長軸が液晶層に対して同じ側にある偏光子の吸収軸と略直交するように配置される形態、（４−２）上記液晶表示装置は、両方の偏光子と液晶層との間に配置された２枚の第３位相差フィルムを備え、上記第３位相差フィルムは、２軸異方性を有し、かつ長軸が液晶層に対して同じ側にある偏光子の吸収軸と略直交するように配置され、上記基材フィルムは、両方の偏光子に配置される形態が好適である。
【００２６】
上記第１位相差フィルムは、ｎｘ＞ｎｙ＝ｎｚの１軸異方性の位相差補償フィルム、いわゆるポジ型Ａプレートである。また、上記第２位相差フィルムは、ｎｘ＝ｎｙ＞ｎｚの１軸異方性の位相差補償フィルム、いわゆるネガ型Ｃプレートである。更に、上記第３位相差フィルムは、ｎｘ＞ｎｙ＞ｎｚの２軸異方性の位相差補償フィルム、いわゆる２軸性フィルムである。したがって、上記第１位相差フィルムの光軸は、フィルム面内にあり、上記第２位相差フィルムの光軸は、フィルム面と垂直な方向、すなわち、通常、基板と垂直な方向にある。
【００２７】
上記（１−１）、（１−２）、（２−１）、（２−２）、（３−１）、（３−２）及び（４−２）の形態は、それぞれ一対の偏光子の間に少なくとも１枚の基材フィルムと位相差補償フィルムとを有する。したがって、これらの形態においては、一対の偏光子の間に配置された全ての基材フィルム及び位相差補償フィルムの厚み方向のリタデーション（Ｒｒｆ，ａｌｌ）が液晶層のリタデーション（Ｒｌｃ）よりも小さければよい。一方、上記（４−１）の形態は、一方の偏光子の間に基材フィルムを有さず、位相差補償フィルムのみを有する。したがって、この形態においては、一対の偏光子の間に配置された全ての位相差補償フィルムの厚み方向のリタデーション（Ｒｒｆ，ａｌｌ）が液晶層のリタデーション（Ｒｌｃ）よりも小さければよい。
【００２８】
上記（１−１）、（１−２）、（２−１）、（２−２）、（３−１）、（３−２）、（４−１）及び（４−２）の形態におけるＲｒｆ，ａｌｌの数値範囲としては、Ｒｒｆ，ａｌｌ＜Ｒｌｃを満たす限り特に限定されないが、以下に示す各下限を満たすことが好ましい。これにより、上記（１−１）、（１−２）、（２−１）、（２−２）、（３−１）、（３−２）、（４−１）及び（４−２）の形態において、小さな黒輝度を確保しつつ、白浮きをより効果的に抑制することができる。すなわち、上記（１−１）及び（１−２）の形態において、上記液晶表示装置は、０．７×Ｒｌｃ≦Ｒｒｆ，ａｌｌ＜Ｒｌｃを満たすことが好ましい。また、上記（２−１）及び（２−２）の形態において、上記液晶表示装置は、０．６×Ｒｌｃ≦Ｒｒｆ，ａｌｌ＜Ｒｌｃを満たすことが好ましい。更に、上記（３−１）及び（３−２）の形態において、上記液晶表示装置は、０．６５×Ｒｌｃ≦Ｒｒｆ，ａｌｌ＜Ｒｌｃを満たすことが好ましい。そして、上記（４−１）及び（４−２）の形態において、上記液晶表示装置は、０．５５×Ｒｌｃ≦Ｒｒｆ，ａｌｌ＜Ｒｌｃを満たすことが好ましい。
【００２９】
本発明の液晶表示装置は、略一様配向モードであれば液晶モードは限定されないが、１つの画素が４つのドメインに分割されたＶＡＴＮモード、いわゆる４ＶＡＴＮモードであることが好ましく、この場合には、特に優れた視野角特性、表示品位及び透過率を有する液晶表示装置を実現することができる。すなわち、上記液晶表示装置は、表示面を正面視したときに、液晶層の厚み方向の中央付近における液晶分子の電圧の印加に伴うチルトの方向（傾斜方向）が互いに略直交する４つのドメインを画素内に有し、上記液晶層は、表示面を正面視したときに、各ドメイン内において、一方の配向膜近傍の液晶分子と他方の配向膜近傍の液晶分子とのプレチルトの方向が略直交することが好ましい。
【００３０】
なお、本明細書において、ドメインとは、液晶層への電圧印加に伴う液晶分子の傾斜（チルト）方向が略同一である画素内の領域を意味する。したがって、４つのドメインを有する４ＶＡＴＮモードは、１画素内に副画素を有する形態であってもよく、例えば、４つのドメインが各々１画素内に２個ずつ配置された形態であってもよいし、４つのドメインが各々１画素内に３個ずつ配置された形態であってもよい。すなわち、４ＶＡＴＮモードとは、上述のような４種類のドメインを各々少なくとも１個ずつ１画素内に有するＶＡＴＮモードを意味する。
【発明の効果】
【００３１】
本発明の液晶表示装置によれば、高い透過率と優れた視野角特性とを有し、高品位の表示が可能である液晶表示装置を実現すことができる。より具体的には、斜め方向において小さい黒輝度を確保しつつ、白浮きの発生を抑制すことができる。
【発明を実施するための最良の形態】
【００３２】
以下に実施例を掲げ、本発明を図面を参照して更に詳細に説明するが、本発明はこれらの実施例のみに限定されるものではない。
【００３３】
（実施例１）
まず、本発明に係る実施例１の液晶表示装置の構成を図１を参照しながら説明する。図１は、実施例１の液晶表示装置の構成を示す断面模式図である。なお、本実施例は、４ＶＡＴＮモードの液晶表示装置を例にして説明するが、本発明の液晶表示装置は、略一様かつ垂直配向モードであれば４ＶＡＴＮモードに特に限定されず、ＶＡＥＣＢモード等であってもよい。
【００３４】
本実施例の液晶表示装置は、図１に示すように、垂直配向（ＶＡ）モードの液晶セル１１と、液晶セル１１の両主面側に配された偏光板１０ａ、１０ｂと、一方の偏光板１０ａ及び液晶セル１１の間に配されたポジ型Ａプレート１４と、他方の偏光板１０ｂ及び液晶セル１１の間に配されたネガ型Ｃプレート１５とが積層された構成を有する。偏光板１０ａ、１０ｂは、偏光子である偏光フィルム１２ａ、１２ｂとそれを支持する基材フィルム１３ａ、１３ｂとが積層された構造を有する。また、偏光板１０ａ、１０ｂは、通常、偏光フィルム１２ａ、１２ｂの外側に更に基材フィルム（図示せず）を有する。偏光板１０ａ、１０ｂの吸収軸は、通常、直交クロスニコルに配置されている。更に、ポジ型Ａプレート１４の光軸の方向は、液晶セル１１に対してポジ型Ａプレート１４と同じ側にある偏光板１２の吸収軸方向と直交するように配置されている。これにより、直交クロスニコルに配置された偏光板を有する液晶表示装置を斜め方向から見たときに発生する光漏れを効果的に抑制することできる。
【００３５】
なお、本発明の液晶表示装置は、このような構成の他、普通の状態では複屈折を示さない等方性の材料からなる部材を有してもよく、そのような部材としては、各層間に配置される接着層、粘着層等が挙げられる。また、偏光フィルムの液晶層とは反対側には複屈折を示す異方性、等方性いずれの材料からなる部材を有してもよく、そのような部材としては集光用フィルム（シート）、光利用効率向上フィルム（シート）、保護フィルム、セパレータ層、表示画面の保護のために用いられるアクリルパネル、ＡＲ（アンチリフレクション）フィルム等が挙げられる。
【００３６】
液晶セル１１は、一対の基板であるＴＦＴ基板とカラーフィルタ基板との間に液晶層が狭持され、更にＴＦＴ基板とカラーフィルタ基板との液晶層側の表面には垂直配向膜が設けられている。また、ＴＦＴ基板及びカラーフィルタ基板は、液晶層側に透明電極を有し、これにより、液晶層に所望の電圧を印加できるようになっている。更に、液晶層は、負の誘電率異方性を有する液晶分子を含み、これにより、液晶層に電圧が印加されない電圧無印加状態（オフ状態）おいて液晶分子は、垂直配向膜に対して垂直方向に配向し、液晶層に閾値以上に充分な電圧が印加される電圧印加状態（オン状態）において液晶分子は、垂直配向膜に対して水平方向に配向することになる。したがって、偏光板の吸収軸がクロスニコルに配置されていることから、本実施例の液晶表示装置は、オフ状態において黒表示を行う、いわゆるノーマリーブラックモードの液晶表示装置であるので、高コントラストを実現することができる。
【００３７】
図２は、実施例１における液晶セルの１つの画素を示す正面模式図であり、（ａ）は、ＴＦＴ基板側を、（ｂ）は、ＣＦ基板側を示す。図２に示すように、ＴＦＴ基板側の画素１１ａには、スイッチング素子であるＴＦＴ２１と、画素を区画するバス配線２２と、容量配線２３とが配置され、一方、ＣＦ基板側の画素１１ｂには、画素を区画するブラックマトリクス（ＢＭ）３１と、赤、緑又は青色のフィルタ３２とが配置されている。また、本実施例においては、ＴＦＴ基板側の画素１１ａと、ＣＦ基板側の画素１１ｂとに設けられた垂直配向膜に対して、図２に示すように、破線矢印で書かれた方向にラビング法、イオンビーム照射法、光照射法、形状制御法、斜方蒸着法等の配向処理方法により配向処理を行う。これにより、垂直配向膜に接する液晶分子をオフ状態おいて基板に対して垂直な方向から若干傾かせることで液晶分子の配向方向を制御することができる。配向処理方法としては、光照射法が好ましく、これにより、配向膜の配向制御をより簡便かつ高精度に行うことができる。光照射法に用いられる光の波長として特に限定されないが、通常、紫外光を含む。また、ＴＦＴ基板側及びＣＦ基板側の液晶分子のプレチルト角は、８６．０〜８９．５°程度（より好ましくは８７．０〜８９．０°程度）に設定することが好ましく、これにより、ＶＡＴＮモードの液晶表示装置の高速応答性と高コントラスト比とを両立することができる。
【００３８】
なお、配向処理方法としては、図２の方向に特に限定されず、以下の形態であってもよい。すなわち、図３に示すように、配向処理方向が逆方向であってもよいし、図４に示すように、配向処理方向が縦横逆であってもよい。
【００３９】
図５は、実施例１における液晶セルの複数の画素を示す正面模式図であり、（ａ）は、ＴＦＴ基板側を、（ｂ）は、ＣＦ基板側を示す。
図５に示すように、ＴＦＴ基板２０及びＣＦ基板３０は、おのおの基板全面に渡って平行かつ逆の方向にストライプ状に配向処理されている。
【００４０】
図６は、実施例１のＴＦＴ基板とＣＦ基板とを貼り合わせた状態における液晶セルを示す正面模式図であり、（ａ）は、複数の画素を、（ｂ）は、１つの画素を示す。
ＴＦＴ基板２０及びＣＦ基板３０は、は、図６（ａ）に示すように、ストライプ状に配された各基板のドメインの境界が、互いに略直交するように対向させて貼り合わされており、これにより、ＴＦＴ基板２０及びＣＦ基板３０の間に液晶分子を封入すると、表示面を正面視したときの、オフ状態からオン状態への電圧印加に伴うセル中央付近における液晶分子のチルトの方向（傾斜方向）は、それぞれのドメインで略直交することになる。また、図６（ｂ）に示す画素１１ｃは、ＴＦＴ基板２０及びＣＦ基板３０が貼り合わされた状態における１つの画素であり、図中のＸ−Ｙ線で切り取った断面図を図７に示す。
【００４１】
図７は、図６（ｂ）中、Ｘ−Ｙ線における実施例１の液晶セルを示す断面模式図であり、（ａ）は、オフ状態を、（ｂ）は、オン状態を示す。図７（ａ）に示すように、オフ状態においては、液晶分子４１は、透明電極４２を有するＴＦＴ基板２０及びＣＦ基板３０に対して略垂直な方向にダイレクタを向けている。一方、図７（ｂ）に示すように、オン状態においては、液晶分子４１は、ＴＦＴ基板２０及びＣＦ基板３０に対して略平行な方向にダイレクタを向けている。このように、本実施例の液晶表示装置は、リブ等の構造物を設けることなく４つのドメインを形成することができるので、優れた透過率を示すことができる。
【００４２】
（比較例１）
以下に、斜め電界及び突起物（リブ）により配向制御を行うモード（斜め電界制御モード）について説明を行う。なお、以下では実施例１と比較例１とで異なる内容についてのみ説明を行う。また、実施例１と比較例１とで共通する構成要素については、同じ符号を付した。
【００４３】
図８は、比較例１における液晶セルの１つの画素を示す正面模式図であり、（ａ）は、ＴＦＴ基板側を、（ｂ）は、ＣＦ基板側を示す。図８（ａ）に示すように、ＴＦＴ基板側の画素１１１ａには、透明電極にスリット４４（図８〜１０中、破線上に配置される）がバス配線２２に対して斜め方向に配置されている。一方、図８（ｂ）に示すように、ＣＦ基板側の画素１１１ｂには、透明電極上に突起物（リブ）４３（図８〜１０中、点線上に配置される）がＢＭ３１に対して斜め方向に配置されている。なお、斜め電界制御モードにおいては、通常、垂直配向膜に対して液晶分子のプレチルト角は、ほぼ９０°である。なお、本比較例の液晶表示装置は、液晶セルの形態以外は図１に示した実施例１の構成と同様の構成を有する。
【００４４】
図９は、比較例１における液晶セルの複数の画素を示す正面模式図であり、（ａ）は、ＴＦＴ基板側を、（ｂ）は、ＣＦ基板側を示す。
図９に示すように、ＴＦＴ基板２００及びＣＦ基板３００は、おのおの基板全面に渡って斜め方向に突起物及びスリットが配置されている。
【００４５】
図１０は、比較例１のＴＦＴ基板とＣＦ基板とを貼り合わせた状態における液晶セルを示す正面模式図であり、（ａ）は、複数の画素を、（ｂ）は、１つの画素を示す。
ＴＦＴ基板２００及びＣＦ基板３００は、は、図１０（ａ）に示すように、斜めに配された各基板の突起部及びスリットが、互いに略平行になるように対向させて貼り合わされている。また、図１０（ｂ）に示す画素１１１ｃは、ＴＦＴ基板２００及びＣＦ基板３００が貼り合わされた状態における１つの画素であり、図中のＸ−Ｙ線で切り取った断面図を図１１に示す。
【００４６】
図１１は、図１０（ｂ）中、Ｐ−Ｑ線における比較例１の液晶セルを示す断面模式図であり、（ａ）は、オフ状態を、（ｂ）は、オン状態を示す。
図１１（ａ）に示すように、オフ状態においては、液晶分子４１は、透明電極４２を有するＴＦＴ基板２００及びＣＦ基板３００に対して略垂直な方向にダイレクタを向けているが、突起物４３付近の液晶分子は基板に対して斜め方向に配向している。一方、図７（ｂ）に示すように、オン状態においては、この突起物４３付近の液晶分子が持つプレチルト角の方向と、スリット４４の端部に起きる斜め電界とによって液晶分子の傾斜方向を制御することができる。本比較例においては、１つの画素において４つの傾斜方向が形成されるが、それとともに突起物及びスリット上に暗線が出現する。このように、本比較例の液晶表示装置においても、各画素は４つの配向方向を有することから、広視野角を有する。しかしながら、突起物及びスリットが設けられた領域における光のロスが大きく、かつ黒表示においてもリブによる配向が垂直にならない領域、スリット等による散乱が大きかった。
【００４７】
以上、実施例１及び比較例１で説明したように、実施例１及び比較例１の液晶表示装置における液晶分子は、電圧印加にともなう傾斜方向が、それぞれ各画素内に４つの存在する。したがって、実施例１の液晶表示装置においても比較例１の液晶表示装置と同様に透過率のロスは起こる。しかしながら、略一様配向モードである実施例１の液晶表示装置においては、画素に占めるドメインライン、つまり暗線の面積の割合が低いため、実施例１の液晶表示装置の透過率は比較例１の液晶表示装置に比べて非常に大きく、実測で約３割も大きかった。
【００４８】
（実施例１及び比較例１の比較シミュレーション）
以下に、実施例１で示した構成を有する液晶表示装置と、比較例１で示した構成を有する液晶表示装置とについてシミュレーションを行って透過率を比較した結果を示す。これ以降、実施例１で示した構成を有する液晶表示装置の液晶モードをネガ液晶＋ＴＮモードと呼ぶ。一方、比較例１で示した構成を有する液晶表示装置の液晶モードをスリット−スリットモードと呼ぶ。
シミュレーションに用いたパラメータは以下に示すとおりである。すなわち、偏光フィルム１２ａ、１２ｂは、波長５５０ｎｍの光に対して常光屈折率ｎｏ＝１．５００１４４、異常光屈折率ｎｅ＝１．５１６３を有し、波長５９０ｎｍの光に対してｎｏ＝１．５００１５、ｎｅ＝１．５１７９を有し、厚さは２５μｍとした。基材フィルム１３ａ、１３ｂは、ｎｘ＝ｎｙ＝１．５、ｎｚ＝１．４９９２５であり、厚さは８０μｍとした。ポジ型Ａプレート１４は、ｎｘ＝１．５、ｎｙ＝ｎｚ＝１．４９８３３であり、厚さは６０μｍとした。ネガ型Ｃプレート１５は、ｎｘ＝ｎｙ＝１．５、ｎｚ＝１．４５５であり、厚さは３μｍとした。また、ネガ液晶＋ＴＮモードにおける液晶層のリタデーションＲｌｃは３２０ｎｍとし、プレチルト角は８７．５°とした。一方、スリット−スリットモードにおける液晶層のリタデーションＲｌｃは３２０ｎｍとし、スリット−スリットモードでは、簡易的にＣＦ基板側にはリブを設けずスリットを設けて、両側基板にスリットが設置されたモデルを用いてシミュレーションを行った。
【００４９】
図１２は、実施例１のネガ液晶＋ＴＮモードにおける視野角別の電圧−透過率プロット（ＶＴ）であり、（ａ）は、偏光子の吸収軸方向に視角を倒したときの電圧−透過率プロットであり、（ｂ）は、偏光子の吸収軸方向から４５°ずれた方向に視角を倒したときの電圧−透過率プロットである。また、図１３は、実施例１のネガ液晶＋ＴＮモードにおけるＴＦＴ基板及びＣＦ基板側における配向処理方向及び吸収軸方向と、視角を倒す方位との関係を示す模式図である。ネガ液晶＋ＴＮモードにおいて視角を倒す方位は、それぞれ図１３で示した方位に一致している。また、図１４は、比較例１のスリット−スリットモードにおける視野角別の電圧−透過率プロット（ＶＴ）であり、（ａ）は、偏光子の吸収軸方向に視角を倒したときの電圧−透過率プロットであり、（ｂ）は、偏光子の吸収軸方向から４５°ずれた方向に視角を倒したときの電圧−透過率プロットである。また、図１５は、比較例１のスリット−スリットモードにおけるＴＦＴ基板及びＣＦ基板側における配向処理方向及び吸収軸方向と、視角を倒す方位との関係を示す模式図である。スリット−スリットモードにおいて視角を倒す方位は、それぞれ図１５で示した方位に一致している。なお、極角とは、基板面法線方向と視角方向とのなす角を意味する。したがって、図中、「方位０°極角６０°」とは、方位０°方向に視角を６０°倒したときの電圧−透過率プロットであり、他の方位についても同様に、それぞれの方位に視角を６０°倒したときの電圧−透過率プロットである。また、図中、「吸収軸方向極角６０°４方位の和」とは、方位０°、９０°、１８０°及び２７０°における各透過率の和を電圧７Ｖで１に規格化したものである。更に、図中、「吸収軸方向＋４５°極角６０°４方位の和」とは、方位４５°、１３５°、２２５°及び３１５°における各透過率の和を電圧７Ｖで１に規格化したものである。なお、図１２及び１４における縦軸の強度とは、電圧７Ｖ印加時の正面における透過率を１に規格化したものである。
【００５０】
なお、本シミュレーションは、配向処理方向と吸収軸方向とを図１３及び図１５で示した関係に配置して行った。このように、ネガ液晶＋ＴＮモードにおいて、ＴＦＴ基板の配向処理方向とＴＦＴ基板側の偏光子の吸収軸方向は、図１３では平行の関係であるが、実際の液晶表示装置においては、直交関係であってもよい。また、ＴＦＴ基板の配向処理方向は、図１３では０−１８０°方向に平行な方向にしてあるが、９０−２７０°方向に平行であってもよい。このように、実際の液晶表示装置においては、ＴＦＴ基板及びＣＦ基板の配向処理方向と、ＴＦＴ基板側及びＣＦ基板側の偏光子の吸収軸方向とがそれぞれ直交し、かつ配向処理方向更及び吸収軸方向が図１３中、０−１８０°方向又は９０−２７０°方向に沿うように配置されればよい。一方、スリット−スリットモードについても、実際の液晶表示装置においては、図１３で示したＴＦＴ基板側の偏光子の吸収軸方向とＣＦ基板側の偏光子の吸収軸方向との配置関係を入れ替えてもよい。
【００５１】
図１２及び１４から分かるように、図１２（ｂ）において正面と、それ以外の４方位（方位４５°、１３５°、２２５°、３１５°）及び４方位の和とにおけるＶＴの形が最も大きく異なっている。つまり、ネガ液晶＋ＴＮモードにおいては正面からと斜めからとでは、大きく見え方が異なってしまうことがわかる。また、吸収軸方向＋４５°極角６０°方向から見た場合に、電圧をあげるほどに輝度が下がってしまう反転現象がかなり広い電圧範囲で起こっていることがわかる。
【００５２】
次に、正面と斜め方向との見え方の違いを図１６に示す。図１６は、実施例１のネガ液晶＋ＴＮモードと比較例１のスリット−スリットモードとについて正面と斜め方向とにおける輝度比を示したグラフであり、（ａ）は、偏光子の吸収軸方向について、（ｂ）は、偏光子の吸収軸方向から４５°ずれた方位についての輝度比を示す。図１６から分かるように、正面と斜め方向とで輝度が常に等しい状態である理想視角特性を示す直線から最も大きくはずれているのは、図１６（ｂ）におけるネガ液晶＋ＴＮモードであり、スリット−スリットモードに比べて白浮きが発生しやすいことが分かった。
【００５３】
以上のシミュレーションの結果、略一様配向モードである高い透過率を有するネガ液晶＋ＴＮモードに、斜め電界制御モードであるスリット−スリットモードと同じ位相差フィルムを設けたとしても、ネガ液晶＋ＴＮモードは、斜め方向の表示特性、特に偏光子の吸収軸から４５°ずれた方位における斜め方向の表示特性は充分に満足できるものではないと考えられた。そこで、ネガ液晶＋ＴＮモードにおいて反転現象を低減しつつ白浮きを抑制するために、ネガ液晶＋ＴＮモードの表示特性に位相差フィルムの厚み方向のリタデーションＲｒｆが与える影響を検討した。
【００５４】
（実施例２）
以下に、種々の厚み方向のリタデーションＲｒｆを有する位相差フィルムを備えたネガ液晶＋ＴＮモードの液晶表示装置を作製し、その斜め方向の表示特性を実測した結果を示す。
測定に用いたネガ液晶＋ＴＮモードの液晶表示装置の構成は、図１に示したものと同様の構成とした。また、各構成要素のパラメータは以下に示すとおりであった。すなわち、偏光フィルム１２ａ、１２ｂとしては、波長５５０ｎｍの光に対して常光屈折率ｎｏ＝１．５００１４４、異常光屈折率ｎｅ＝１．５１６３を有し、波長５９０ｎｍの光に対してｎｏ＝１．５００１５、ｎｅ＝１．５１７９を有し、厚さ２５μｍのものを用いた。基材フィルム１３ａ、１３ｂとしては、ｎｘ＝ｎｙ＝１．５、ｎｚ＝１．４９９２５であり、厚さ８０μｍのものを用いた。ポジ型Ａプレート１４としては、平均屈折率が１．５０〜１．５５であり、厚みが６０〜８０μｍであり、厚み方向のリタデーションが略５０ｎｍであり、フィルム面内方向のリタデーションが略１００ｎｍであり、光弾性係数の絶対値が１０×１０−８ｃｍ２ｃｍ２／Ｎ以下であるものを用いた。また、液晶セル１１としては、液晶層のリタデーションＲｌｃが２９０ｎｍであり、プレチルト角が８７．５°であるものを用いた。一方、ネガ型Ｃプレート１５としては、厚み方向のリタデーションがそれぞれ７１、８６、１０１又は１１０ｎｍである４種類のフィルムを用いた。
【００５５】
図１７は、実施例２のネガ液晶＋ＴＮモードについて、正面と偏光子の吸収軸方向から４５°ずれた方位の斜め方向とにおける輝度比を示したグラフである。また、図１８は、実施例２のネガ液晶＋ＴＮモードにおける黒輝度の視野角特性を示す。なお、図１７及び１８中、各リタデーション値は、位相差補償フィルム（ポジ型Ａプレート１４及びネガ型Ｃプレート１５）の厚み方向のリタデーションと基材フィルム１３ａ、１３ｂの厚み方向のリタデーションとの総和Ｒｒｆ，ａｌｌである。
【００５６】
図１７によると、Ｒｒｆ，ａｌｌが小さいほど、理想視野角特性の直線に近づいていくことがわかる。一方、図１８によると、いずれのＲｒｆ，ａｌｌの場合においても極角７０°付近において最も黒輝度が大きくなるが、Ｒｒｆ，ａｌｌが２２５ｎｍ、２４０ｎｍ、２５５ｎｍ、２６５ｎｍと大きくなっていくに従い斜め方向において優れた黒輝度特性を示すことがわかる。すなわち、Ｒｒｆ，ａｌｌが大きいほど斜めに視角を倒しても、正面の黒輝度に近い小さな輝度が得られる。このように、白浮きの抑制と黒輝度特性とは、トレードオフの関係にあることがわかった。しかしながら、実質は、斜め方向からの黒輝度が２．０ｃｄ／ｍ２程度までであれば、見た目にそれほど悪い印象はない。このように、Ｒｒｆ，ａｌｌが２０３ｎｍ（＝０．７×Ｒｌｃ）から２９０ｎｍ（＝Ｒｌｃ）の範囲にあれば、正面−斜めの輝度比が比較的良く、正面からと斜めからとでは、大きく見え方が異なることがなく、また、黒輝度の視野角特性も良い状態が得られた。更に、Ｒｒｆ，ａｌｌが２１７．５ｎｍ（＝０．７５×Ｒｌｃ）から２６１ｎｍ（＝０．９×Ｒｌｃ）の範囲であれば、より優れた視野角特性が得られることが分かった。また、本実施例で用いたポジ型Ａプレート１４の光弾性係数の絶対値は、１０×１０−８ｃｍ２／Ｎ以下であることから、表示ムラを効果的に抑制することができた。
そこで、位相差補償フィルム及び基材フィルムの厚み方向のリタデーションが黒輝度及び白浮きに与える影響について更に調べるために、種々の構成を有するネガ液晶＋ＴＮモードについてシミュレーションを行った結果を以下に示す。
【００５７】
（実施例３）
図１９（ａ）は、実施例３のネガ液晶＋ＴＮモードの液晶表示装置の構成を示す断面模式図であり、（ｂ）は、実施例３の別の構成を示す断面模式図である。なお、実施例３において、実施例１及び２と重複する内容については説明を省略するとともに、実施例１及び２と同様の構成要素については、実施例３においても同じ符号を付した。
【００５８】
図１９（ａ）に示すように、本実施例３のネガ液晶＋ＴＮモードの液晶表示装置は、偏光フィルム１２ｂ、基材フィルム１３ｂ、ネガ型Ｃプレート１５、液晶セル１１、ポジ型Ａプレート１４、基材フィルム１３ａ及び偏光フィルム１２ａがこの順に積層された構造を有する。すなわち、実施例１及び実施例２における構成と同様である。
【００５９】
なお、液晶層を狭持する一対の基板（ＴＦＴ基板及びＣＦ基板）は、通常、液晶セル１１に配置される。しかしながら、一対の基板の配置場所としては、液晶セル１１に限定されず、一方の基板は、図１９（ａ）中の白抜き矢印の位置（ポジ型Ａプレート１４及び基材フィルム１３ａの間、又は、偏光フィルム１２ａの外側）に配置されてもよい。また、他方の基板は、図１９（ａ）中の黒塗り矢印の位置（ネガ型Ｃプレート１５及び基材フィルム１３ｂの間、又は、偏光フィルム１２ｂの外側）に配置されてもよい。このように、本発明の液晶表示装置は、基板の液晶層側に位相差フィルム及び／又は偏光子が配置された形態であってもよい。
【００６０】
シミュレーションに用いた各種パラメータは以下に示すとおりである。すなわち、偏光フィルム１２ａ、１２ｂは、波長５５０ｎｍの光に対して常光屈折率ｎｏ＝１．５００１４４、異常光屈折率ｎｅ＝１．５１６３を有し、波長５９０ｎｍの光に対してｎｏ＝１．５００１５、ｎｅ＝１．５１７９を有し、厚さは２５μｍとした。基材フィルム１３ａ、１３ｂは、ｎｘ＝ｎｙ＝１．５、ｎｚ＝１．４９９２５であり、厚さは８０μｍとした。ポジ型Ａプレート１４は、ｎｘ＝１．５、ｎｙ＝ｎｚ＝１．４９８３３であり、厚さは６０μｍとした。また、ネガ型Ｃプレート１５は、ｎｘ＝ｎｙ＝１．５、ｎｚ＝１．４５５であり、厚さは下記表１のとおりとした。なお、Ｒｌｃは２９０ｎｍとし、プレチルト角は８９．０°とした。
【００６１】
【表１】
2008065158.tif 000003
【００６２】
図２０は、実施例３のネガ液晶＋ＴＮモードについて、正面と斜め方向（偏光子の吸収軸方向から４５°ずれた方位かつ極角６０°である方向）とにおける輝度比を示したグラフである。また、図２１は、実施例３のネガ液晶＋ＴＮモードにおける黒輝度の視野角特性を示す。更に、図２２は、実施例３のネガ液晶＋ＴＮモードの極角７０°におけるＲｒｆ，ａｌｌ／Ｒｌｃに対する黒輝度を示したグラフである。
【００６３】
この結果、図２０より、図１７で示した実測値と同様に、Ｒｒｆ，ａｌｌが小さくなるに従い白浮きが抑制されることが分かった。一方、黒輝度の視野角特性については、図２１及び図２２より、Ｒｒｆ，ａｌｌ／Ｒｌｃが略１であるときに黒輝度の値は、極小となり、優れた特性を示すことが分かった。ただし、シミュレーションで算出された黒輝度の値は、図１８で示した実測値よりも非常に小さくなった。これは、実際の液晶表示装置においては、種々の光漏れが発生するためであると考えられる。しかしながら、図２１と図１８とを比較すると、黒輝度の値は、シミュレーション結果の方がおよそ二桁小さくはなるが、各Ｒｒｆ，ａｌｌに対する黒輝度の変化の仕方はほぼ同様であることがわかる。したがって、本実施例以降のシミュレーションについては、黒輝度がおよそ０．０２ｃｄ／ｍ２よりも小さくなる条件を、実際の液晶表示装置において見た目にそれほど悪い印象を与えないレベルとして判断する。
【００６４】
このような観点から判断すると、本実施例においては、実施例１で実測した結果と同様に、０．７≦Ｒｆ，ａｌｌ／Ｒｌｃ＜１．０である場合に、黒輝度がおよそ０．０２ｃｄ／ｍ２以下となるとともに、白浮きの低減とが可能であることが分かった。また、０．７５≦Ｒｆ，ａｌｌ／Ｒｌｃ＜０．９である場合には、黒輝度の視野角特性と白浮き低減とのバランスに特に優れた高品位の表示が可能であることが分かった。
【００６５】
なお、本実施例の液晶表示装置の構成としては、図１９（ａ）の他に、図１９（ｂ）に示すように、液晶セル１１及びネガ型Ｃプレート１５を入れ替えた構成であってもよい。このような構成であっても、液晶セル１１及びネガ型Ｃプレート１５の光軸が基板及びフィルム面に対して略垂直方向に存在するため、図１９（ｂ）に示す構成も図１９（ａ）の構成と同等の視野角特性を有することができる。
【００６６】
また、図１９（ｂ）において、液晶層を狭持する基板は、図１９（ａ）の構成と同様に、一方の基板が、図１９（ｂ）中の白抜き矢印の位置に配置された形態であってもよいし、また、他方の基板が、図１９（ｂ）中の黒塗り矢印の位置に配置された形態であってもよい。
【００６７】
（実施例４）
図２３（ａ）は、実施例４のネガ液晶＋ＴＮモードの液晶表示装置の構成を示す断面模式図であり、（ｂ）は、実施例４の別の構成を示す断面模式図である。なお、実施例４において、実施例１及び２と重複する内容については説明を省略するとともに、実施例１及び２と同様の構成要素については、実施例４においても同じ符号を付した。
【００６８】
図２３（ａ）に示すように、本実施例４のネガ液晶＋ＴＮモードの液晶表示装置は、偏光フィルム１２ｂ、基材フィルム１３ｂ、ネガ型Ｃプレート１５、液晶セル１１、ポジ型Ａプレート１４及び偏光フィルム１２ａがこの順に積層された構造を有する。
【００６９】
なお、実施例３と同様に、液晶層を狭持する一対の基板（ＴＦＴ基板及びＣＦ基板）の配置場所としては、液晶セル１１に限定されず、一方の基板は、図２３（ａ）中の白抜き矢印の位置（ポジ型Ａプレート１４及び偏光フィルム１２ａの間、又は、偏光フィルム１２ａの外側）に配置されてもよい。また、他方の基板は、図２３（ａ）中の黒塗り矢印の位置（ネガ型Ｃプレート１５及び基材フィルム１３ｂの間、又は、偏光フィルム１２ｂの外側）に配置されてもよい。
【００７０】
シミュレーションに用いた各種パラメータは以下に示すとおりである。すなわち、偏光フィルム１２ａ、１２ｂ及び基材フィルム１３ａ、１３ｂについては、実施例３と同様のパラメータを用いた。また、ポジ型Ａプレート１４は、ｎｘ＝１．５３１１６７、ｎｙ＝ｎｚ＝１．５２９４１７であり、厚さは８０μｍとした。更に、ネガ型Ｃプレート１５は、ｎｘ＝ｎｙ＝１．５６５、ｎｚ＝１．５２であり、厚さは下記表２のとおりとした。なお、Ｒｌｃは２９０ｎｍとし、プレチルト角は８９．０°とした。
【００７１】
【表２】
2008065158.tif 000004
【００７２】
図２４は、実施例４のネガ液晶＋ＴＮモードについて、正面と斜め方向（偏光子の吸収軸方向から４５°ずれた方位かつ極角６０°である方向）とにおける輝度比を示したグラフである。また、図２５は、実施例４のネガ液晶＋ＴＮモードにおける黒輝度の視野角特性を示す。更に、図２６は、実施例４のネガ液晶＋ＴＮモードの極角７０°におけるＲｒｆ，ａｌｌ／Ｒｌｃに対する黒輝度を示したグラフである。
【００７３】
この結果、本実施例においては、０．６≦Ｒｆ，ａｌｌ／Ｒｌｃ＜１．０である場合に、黒輝度がおよそ０．０２ｃｄ／ｍ２以下となるとともに、白浮きの低減とが可能であることが分かった。また、０．７５≦Ｒｆ，ａｌｌ／Ｒｌｃ＜０．９である場合には、黒輝度の視野角特性と白浮き低減とのバランスに特に優れた高品位の表示が可能であることが分かった。
【００７４】
なお、本実施例の液晶表示装置の構成としては、図２３（ａ）の他に、図２３（ｂ）に示すように、液晶セル１１及びネガ型Ｃプレート１５を入れ替えた構成であってもよい。このような構成であっても、実施例３と同様の理由から、図２３（ｂ）に示す構成も図２３（ａ）の構成と同等の視野角特性を有することができる。
【００７５】
また、図２３（ｂ）において、液晶層を狭持する基板基板は、図２３（ａ）の構成と同様に、一方の基板が、図２３（ｂ）中の白抜き矢印の位置に配置された形態であってもよいし、また、他方の基板が、図２３（ｂ）中の黒塗り矢印の位置に配置された形態であってもよい。
【００７６】
（実施例５）
図２７（ａ）は、実施例５のネガ液晶＋ＴＮモードの液晶表示装置の構成を示す断面模式図であり、（ｂ）は、実施例５の別の構成を示す断面模式図である。なお、実施例５において、実施例１及び２と重複する内容については説明を省略するとともに、実施例１及び２と同様の構成要素については、実施例５においても同じ符号を付した。
【００７７】
図２７（ａ）に示すように、本実施例５のネガ液晶＋ＴＮモードの液晶表示装置は、偏光フィルム１２ｂ、２軸性フィルム１６ｂ、液晶セル１１、基材フィルム１３ａ及び偏光フィルム１２ａがこの順に積層された構造を有する。また、２軸性フィルム１６ｂは、その長軸が液晶セル１１に対して同じ側にある偏光フィルム１２ｂの吸収軸と略直交するように配置されている。
【００７８】
なお、実施例３と同様に、液晶層を狭持する一対の基板（ＴＦＴ基板及びＣＦ基板）の配置場所としては、液晶セル１１に限定されず、一方の基板は、図２６（ａ）中の白抜き矢印の位置（偏光フィルム１２ａの外側）に配置されてもよい。また、他方の基板は、図２６（ａ）中の黒塗り矢印の位置（２軸性フィルム１６ｂ及び偏光フィルム１２ｂの間、又は、偏光フィルム１２ｂの外側）に配置されてもよい。
【００７９】
シミュレーションに用いた各種パラメータは以下に示すとおりである。すなわち、偏光フィルム１２ａ、１２ｂ及び基材フィルム１３ａ、１３ｂについては、実施例３と同様のパラメータを用いた。また、Ｒｌｃが２７０ｎｍであるとき、２軸性フィルム１６ｂは、ｎｘ＝１．５３１、ｎｙ＝１．５３、ｎｚ＝１．５２８であり、厚さは下記表３のとおりとした。また、Ｒｌｃが２９０ｎｍであるとき、２軸性フィルム１６ｂは、ｎｘ＝１．５３１、ｎｙ＝１．５３、ｎｚ＝１．５２８であり、厚さは下記表４のとおりとした。更に、Ｒｌｃが３３０ｎｍであるとき、２軸性フィルム１６ｂは、ｎｘ＝１．５３１、ｎｙ＝１．５３、ｎｚ＝１．５２８であり、厚さは下記表５のとおりとした。なお、プレチルト角は８９．０°とした。
【００８０】
【表３】
2008065158.tif 000005
【００８１】
【表４】
2008065158.tif 000006
【００８２】
【表５】
2008065158.tif 000007
【００８３】
図２８は、実施例５のネガ液晶＋ＴＮモード（Ｒｌｃ＝２７０ｎｍ）について、正面と斜め方向（偏光子の吸収軸方向から４５°ずれた方位かつ極角６０°である方向）とにおける輝度比を示したグラフである。また、図２９は、実施例５のネガ液晶＋ＴＮモード（Ｒｌｃ＝２７０ｎｍ）における黒輝度の視野角特性を示す。更に、図３０は、実施例５のネガ液晶＋ＴＮモード（Ｒｌｃ＝２７０ｎｍ）の極角７０°におけるＲｒｆ，ａｌｌ／Ｒｌｃに対する黒輝度を示したグラフである。
【００８４】
図３１は、実施例５のネガ液晶＋ＴＮモード（Ｒｌｃ＝２９０ｎｍ）について、正面と斜め方向（偏光子の吸収軸方向から４５°ずれた方位かつ極角６０°である方向）とにおける輝度比を示したグラフである。また、図３２は、実施例５のネガ液晶＋ＴＮモード（Ｒｌｃ＝２９０ｎｍ）における黒輝度の視野角特性を示す。更に、図３３は、実施例５のネガ液晶＋ＴＮモード（Ｒｌｃ＝２９０ｎｍ）の極角７０°におけるＲｒｆ，ａｌｌ／Ｒｌｃに対する黒輝度を示したグラフである。
【００８５】
図３４は、実施例５のネガ液晶＋ＴＮモード（Ｒｌｃ＝３３０ｎｍ）について、正面と斜め方向（偏光子の吸収軸方向から４５°ずれた方位かつ極角６０°である方向）とにおける輝度比を示したグラフである。また、図３５は、実施例５のネガ液晶＋ＴＮモード（Ｒｌｃ＝３３０ｎｍ）における黒輝度の視野角特性を示す。更に、図３６は、実施例５のネガ液晶＋ＴＮモード（Ｒｌｃ＝３３０ｎｍ）の極角７０°におけるＲｒｆ，ａｌｌ／Ｒｌｃに対する黒輝度を示したグラフである。
【００８６】
この結果、図２８〜３６より、Ｒｌｃが２７０〜３３０ｎｍの範囲においても、Ｒｆ，ａｌｌを適切に設定することによって、黒輝度をおよそ０．０２ｃｄ／ｍ２以下にしつつ、白浮きを低減することが可能であることが分かった。より具体的には、本実施例においては、０．６５≦Ｒｆ，ａｌｌ／Ｒｌｃ＜１．０である場合に、黒輝度がおよそ０．０２ｃｄ／ｍ２以下となるとともに、白浮きの低減とが可能であることが分かった。また、０．７０≦Ｒｆ，ａｌｌ／Ｒｌｃ＜０．９である場合には、黒輝度の視野角特性と白浮き低減とのバランスに特に優れた高品位の表示が可能であることが分かった。
【００８７】
なお、本実施例の液晶表示装置の構成としては、図２７（ａ）の他に、図２７（ｂ）に示すように、２軸性フィルム１６ｂ側の偏光フィルム１２ｂに基材フィルム１３ｂを加えた構成であってもよい。このように、２軸性フィルムに基材フィルムが加わった構成であっても見かけ上、１枚の位相差補償フィルムとして機能することから、図２７（ｂ）に示す構成も図２７（ａ）の構成と同等の視野角特性を有することができる。
【００８８】
また、図２７（ｂ）において、液晶層を狭持する基板は、図２７（ａ）の構成と同様に、一方の基板が、図２７（ｂ）中の白抜き矢印の位置に配置された形態であってもよいし、また、他方の基板が、図２７（ｂ）中の黒塗り矢印の位置に配置された形態であってもよい。
【００８９】
（実施例６）
図３７（ａ）は、実施例６のネガ液晶＋ＴＮモードの液晶表示装置の構成を示す断面模式図であり、（ｂ）は、実施例６の別の構成を示す断面模式図である。なお、実施例６において、実施例１及び２と重複する内容については説明を省略するとともに、実施例１及び２と同様の構成要素については、実施例６においても同じ符号を付した。
【００９０】
図３７（ａ）に示すように、本実施例６のネガ液晶＋ＴＮモードの液晶表示装置は、偏光フィルム１２ｂ、２軸性フィルム１６ｂ、液晶セル１１、２軸性フィルム１６ａ及び偏光フィルム１２ａがこの順に積層された構造を有する。また、２軸性フィルム１６ｂは、その長軸が液晶セル１１に対して同じ側にある偏光フィルム１２ｂの吸収軸と略直交するように配置され、同様に、２軸性フィルム１６ａは、その長軸が液晶セル１１に対して同じ側にある偏光フィルム１２ａの吸収軸と略直交するように配置されている。
【００９１】
なお、実施例３と同様に、液晶層を狭持する一対の基板（ＴＦＴ基板及びＣＦ基板）の配置場所としては、液晶セル１１に限定されず、一方の基板は、図３７（ａ）中の白抜き矢印の位置（２軸性フィルム１６ａ及び偏光フィルム１２ａの間、又は、偏光フィルム１２ａの外側）に配置されてもよい。また、他方の基板は、図３７（ａ）中の黒塗り矢印の位置（２軸性フィルム１６ｂ及び偏光フィルム１２ｂの間、又は、偏光フィルム１２ｂの外側）に配置されてもよい。
【００９２】
また、シミュレーションに用いた各種パラメータは以下に示すとおりである。すなわち、偏光フィルム１２ａ、１２ｂについては、実施例３と同様のパラメータを用いた。また、プレチルト角が８９．０°、Ｒｌｃが２７０ｎｍであるとき、２軸性フィルム１６ａ、１６ｂは、ｎｘ＝１．５３１、ｎｙ＝１．５３、ｎｚ＝１．５２９であり、厚さは下記表６のとおりとした。また、プレチルト角が８９．０°、Ｒｌｃが２９０ｎｍであるとき、２軸性フィルム１６ａ、１６ｂは、ｎｘ＝１．５３１、ｎｙ＝１．５３、ｎｚ＝１．５２９であり、厚さは下記表７のとおりとした。更に、プレチルト角が８９．０°、Ｒｌｃが３３０ｎｍであるとき、２軸性フィルム１６ａ、１６ｂは、ｎｘ＝１．５３１、ｎｙ＝１．５３、ｎｚ＝１．５２９であり、厚さは下記表８のとおりとした。そして、プレチルト角が８６．５°、Ｒｌｃが２９０ｎｍであるとき、２軸性フィルム１６ａ、１６ｂは、ｎｘ＝１．５３１、ｎｙ＝１．５３、ｎｚ＝１．５２９であり、厚さは下記表９のとおりとした。
【００９３】
【表６】
2008065158.tif 000008
【００９４】
【表７】
2008065158.tif 000009
【００９５】
【表８】
2008065158.tif 000010
【００９６】
【表９】
2008065158.tif 000011
【００９７】
図３８は、実施例６のネガ液晶＋ＴＮモード（プレチルト角＝８９．０°、Ｒｌｃ＝２７０ｎｍ）について、正面と斜め方向（偏光子の吸収軸方向から４５°ずれた方位かつ極角６０°である方向）とにおける輝度比を示したグラフである。また、図３９は、実施例６のネガ液晶＋ＴＮモード（プレチルト角＝８９．０°、Ｒｌｃ＝２７０ｎｍ）における黒輝度の視野角特性を示す。更に、図４０は、実施例６のネガ液晶＋ＴＮモード（プレチルト角＝８９．０°、Ｒｌｃ＝２７０ｎｍ）の極角７０°におけるＲｒｆ，ａｌｌ／Ｒｌｃに対する黒輝度を示したグラフである。
【００９８】
図４１は、実施例６のネガ液晶＋ＴＮモード（プレチルト角＝８９．０°、Ｒｌｃ＝２９０ｎｍ）について、正面と斜め方向（偏光子の吸収軸方向から４５°ずれた方位かつ極角６０°である方向）とにおける輝度比を示したグラフである。また、図４２は、実施例６のネガ液晶＋ＴＮモード（プレチルト角＝８９．０°、Ｒｌｃ＝２９０ｎｍ）における黒輝度の視野角特性を示す。更に、図４３は、実施例６のネガ液晶＋ＴＮモード（プレチルト角＝８９．０°、Ｒｌｃ＝２９０ｎｍ）の極角７０°におけるＲｒｆ，ａｌｌ／Ｒｌｃに対する黒輝度を示したグラフである。
【００９９】
図４４は、実施例６のネガ液晶＋ＴＮモード（プレチルト角＝８９．０°、Ｒｌｃ＝３３０ｎｍ）について、正面と斜め方向（偏光子の吸収軸方向から４５°ずれた方位かつ極角６０°である方向）とにおける輝度比を示したグラフである。また、図４５は、実施例６のネガ液晶＋ＴＮモード（プレチルト角＝８９．０°、Ｒｌｃ＝３３０ｎｍ）における黒輝度の視野角特性を示す。更に、図４６は、実施例６のネガ液晶＋ＴＮモード（プレチルト角＝８９．０°、Ｒｌｃ＝３３０ｎｍ）の極角７０°におけるＲｒｆ，ａｌｌ／Ｒｌｃに対する黒輝度を示したグラフである。
【０１００】
図４７は、実施例６のネガ液晶＋ＴＮモード（プレチルト角＝８６．５°、Ｒｌｃ＝２９０ｎｍ）について、正面と斜め方向（偏光子の吸収軸方向から４５°ずれた方位かつ極角６０°である方向）とにおける輝度比を示したグラフである。また、図４８は、実施例６のネガ液晶＋ＴＮモード（プレチルト角＝８６．５°、Ｒｌｃ＝２９０ｎｍ）における黒輝度の視野角特性を示す。更に、図４９は、実施例６のネガ液晶＋ＴＮモード（プレチルト角＝８６．５°、Ｒｌｃ＝２９０ｎｍ）の極角７０°におけるＲｒｆ，ａｌｌ／Ｒｌｃに対する黒輝度を示したグラフである。
【０１０１】
この結果、図３８〜４６より、Ｒｌｃが２７０〜２９０ｎｍの範囲においても、Ｒｆ，ａｌｌを適切に設定することによって、黒輝度をおよそ０．０２ｃｄ／ｍ２以下にしつつ、白浮きを低減することが可能であることが分かった。また、図４１〜４３と図４７〜４９とを比較すると、プレチルト角によらず黒輝度の視野角特性は同様の特性を示すことが分かった。したがって、本実施例においては、０．５５≦Ｒｆ，ａｌｌ／Ｒｌｃ＜１．０である場合に、黒輝度がおよそ０．０２ｃｄ／ｍ２以下となるとともに、白浮きの低減とが可能であることが分かった。また、０．６０≦Ｒｆ，ａｌｌ／Ｒｌｃ＜０．９である場合には、黒輝度の視野角特性と白浮き低減とのバランスに特に優れた高品位の表示が可能であることが分かった。なお、図４１と図４７とを比較すると、プレチルト角が小さい（８６．０〜８７．０°）場合には、白浮きがより効果的に抑制されることが分かった。しかしながら、略一様配向モードの表示品位と応答性とを両立する観点からは、液晶層のプレチルト角は、８７．０〜８９．０°であることがより好ましい。
【０１０２】
なお、本実施例の液晶表示装置の構成としては、図３７（ａ）の他に、図３７（ｂ）に示すように、２軸性フィルム１６ａ、１６ｂ側の偏光フィルム１２ａ、１２ｂに基材フィルム１３ａ、１３ｂを加えた構成であってもよい。このように、２軸性フィルムに基材フィルムが加わった構成であっても、実施例５と同様の理由から、図３７（ｂ）に示す構成も図３７（ａ）の構成と同等の視野角特性を有することができる。
【０１０３】
また、図３７（ｂ）において、液晶層を狭持する基板は、図３７（ａ）の構成と同様に、一方の基板が、図３７（ｂ）中の白抜き矢印の位置に配置された形態であってもよいし、また、他方の基板が、図３７（ｂ）中の黒塗り矢印の位置に配置された形態であってもよい。
【図面の簡単な説明】
【０１０４】
【図１】実施例１の液晶表示装置の構成を示す断面模式図である。
【図２】実施例１における液晶セルの１つの画素を示す正面模式図であり、（ａ）は、ＴＦＴ基板側を、（ｂ）は、ＣＦ基板側を示す。
【図３】実施例１における別の液晶セルの１つの画素を示す正面模式図であり、（ａ）は、ＴＦＴ基板側を、（ｂ）は、ＣＦ基板側を示す。
【図４】実施例１における更に別の液晶セルの１つの画素を示す正面模式図であり、（ａ）は、ＴＦＴ基板側を、（ｂ）は、ＣＦ基板側を示す。
【図５】実施例１における液晶セルの複数の画素を示す正面模式図であり、（ａ）は、ＴＦＴ基板側を、（ｂ）は、ＣＦ基板側を示す。
【図６】実施例１のＴＦＴ基板とＣＦ基板とを貼り合わせた状態における液晶セルを示す正面模式図であり、（ａ）は、複数の画素を、（ｂ）は、１つの画素を示す。
【図７】図６（ｂ）中、Ｘ−Ｙ線における実施例１の液晶セルを示す断面模式図であり、（ａ）は、オフ状態を、（ｂ）は、オン状態を示す。
【図８】比較例１における液晶セルの１つの画素を示す正面模式図であり、（ａ）は、ＴＦＴ基板側を、（ｂ）は、ＣＦ基板側を示す。
【図９】比較例１における液晶セルの複数の画素を示す正面模式図であり、（ａ）は、ＴＦＴ基板側を、（ｂ）は、ＣＦ基板側を示す。
【図１０】比較例１のＴＦＴ基板とＣＦ基板とを貼り合わせた状態における液晶セルを示す正面模式図であり、（ａ）は、複数の画素を、（ｂ）は、１つの画素を示す。
【図１１】図１０（ｂ）中、Ｐ−Ｑ線における比較例１の液晶セルを示す断面模式図であり、（ａ）は、オフ状態を、（ｂ）は、オン状態を示す。
【図１２】実施例１のネガ液晶＋ＴＮモードにおける視野角別の電圧−透過率プロット（ＶＴ）であり、（ａ）は、偏光子の吸収軸方向に視角を倒したときの電圧−透過率プロットであり、（ｂ）は、偏光子の吸収軸方向から４５°ずれた方向に視角を倒したときの電圧−透過率プロットである。
【図１３】実施例１のネガ液晶＋ＴＮモードにおけるＴＦＴ基板及びＣＦ基板側における配向処理方向及び吸収軸方向と、視角を倒す方位との関係を示す模式図である。
【図１４】比較例１のスリット−スリットモードにおける視野角別の電圧−透過率プロット（ＶＴ）であり、（ａ）は、偏光子の吸収軸方向に視角を倒したときの電圧−透過率プロットであり、（ｂ）は、偏光子の吸収軸方向から４５°ずれた方向に視角を倒したときの電圧−透過率プロットである。
【図１５】比較例１のスリット−スリットモードにおけるＴＦＴ基板及びＣＦ基板側における配向処理方向及び吸収軸方向と、視角を倒す方位との関係を示す模式図である。
【図１６】実施例１のネガ液晶＋ＴＮモードと比較例１のスリット−スリットモードとについて正面と斜め方向とにおける輝度比を示したグラフであり、（ａ）は、偏光子の吸収軸方向について、（ｂ）は、偏光子の吸収軸方向から４５°ずれた方位についての輝度比を示す。
【図１７】実施例２のネガ液晶＋ＴＮモードについて、正面と偏光子の吸収軸方向から４５°ずれた方位の斜め方向とにおける輝度比を示したグラフである。
【図１８】実施例２のネガ液晶＋ＴＮモードにおける黒輝度の視野角特性を示す。
【図１９】（ａ）は、実施例３のネガ液晶＋ＴＮモードの液晶表示装置の構成を示す断面模式図であり、（ｂ）は、実施例３の別の構成を示す断面模式図である。
【図２０】実施例３のネガ液晶＋ＴＮモードについて、正面と斜め方向（偏光子の吸収軸方向から４５°ずれた方位かつ極角６０°である方向）とにおける輝度比を示したグラフである。
【図２１】実施例３のネガ液晶＋ＴＮモードにおける黒輝度の視野角特性を示す。
【図２２】実施例３のネガ液晶＋ＴＮモードの極角７０°におけるＲｒｆ，ａｌｌ／Ｒｌｃに対する黒輝度を示したグラフである。
【図２３】（ａ）は、実施例４のネガ液晶＋ＴＮモードの液晶表示装置の構成を示す断面模式図であり、（ｂ）は、実施例４の別の構成を示す断面模式図である。
【図２４】実施例４のネガ液晶＋ＴＮモードについて、正面と斜め方向（偏光子の吸収軸方向から４５°ずれた方位かつ極角６０°である方向）とにおける輝度比を示したグラフである。
【図２５】実施例４のネガ液晶＋ＴＮモードにおける黒輝度の視野角特性を示す。
【図２６】実施例４のネガ液晶＋ＴＮモードの極角７０°におけるＲｒｆ，ａｌｌ／Ｒｌｃに対する黒輝度を示したグラフである。
【図２７】（ａ）は、実施例５のネガ液晶＋ＴＮモードの液晶表示装置の構成を示す断面模式図であり、（ｂ）は、実施例５の別の構成を示す断面模式図である。
【図２８】実施例５のネガ液晶＋ＴＮモード（Ｒｌｃ＝２７０ｎｍ）について、正面と斜め方向（偏光子の吸収軸方向から４５°ずれた方位かつ極角６０°である方向）とにおける輝度比を示したグラフである。
【図２９】実施例５のネガ液晶＋ＴＮモード（Ｒｌｃ＝２７０ｎｍ）における黒輝度の視野角特性を示す。
【図３０】実施例５のネガ液晶＋ＴＮモード（Ｒｌｃ＝２７０ｎｍ）の極角７０°におけるＲｒｆ，ａｌｌ／Ｒｌｃに対する黒輝度を示したグラフである。
【図３１】実施例５のネガ液晶＋ＴＮモード（Ｒｌｃ＝２９０ｎｍ）について、正面と斜め方向（偏光子の吸収軸方向から４５°ずれた方位かつ極角６０°である方向）とにおける輝度比を示したグラフである。
【図３２】実施例５のネガ液晶＋ＴＮモード（Ｒｌｃ＝２９０ｎｍ）における黒輝度の視野角特性を示す。
【図３３】実施例５のネガ液晶＋ＴＮモード（Ｒｌｃ＝２９０ｎｍｍ）の極角７０°におけるＲｒｆ，ａｌｌ／Ｒｌｃに対する黒輝度を示したグラフである。
【図３４】実施例５のネガ液晶＋ＴＮモード（Ｒｌｃ＝３３０ｎｍ）について、正面と斜め方向（偏光子の吸収軸方向から４５°ずれた方位かつ極角６０°である方向）とにおける輝度比を示したグラフである。
【図３５】実施例５のネガ液晶＋ＴＮモード（Ｒｌｃ＝３３０ｎｍ）における黒輝度の視野角特性を示す。
【図３６】実施例５のネガ液晶＋ＴＮモード（Ｒｌｃ＝３３０ｎｍ）の極角７０°におけるＲｒｆ，ａｌｌ／Ｒｌｃに対する黒輝度を示したグラフである。
【図３７】（ａ）は、実施例６のネガ液晶＋ＴＮモードの液晶表示装置の構成を示す断面模式図であり、（ｂ）は、実施例６の別の構成を示す断面模式図である。
【図３８】実施例６のネガ液晶＋ＴＮモード（プレチルト角＝８９．０°、Ｒｌｃ＝２７０ｎｍ）について、正面と斜め方向（偏光子の吸収軸方向から４５°ずれた方位かつ極角６０°である方向）とにおける輝度比を示したグラフである。
【図３９】実施例６のネガ液晶＋ＴＮモード（プレチルト角＝８９．０°、Ｒｌｃ＝２７０ｎｍ）における黒輝度の視野角特性を示す。
【図４０】実施例６のネガ液晶＋ＴＮモード（プレチルト角＝８９．０°、Ｒｌｃ＝２７０ｎｍ）の極角７０°におけるＲｒｆ，ａｌｌ／Ｒｌｃに対する黒輝度を示したグラフである。
【図４１】実施例６のネガ液晶＋ＴＮモード（プレチルト角＝８９．０°、Ｒｌｃ＝２９０ｎｍ）について、正面と斜め方向（偏光子の吸収軸方向から４５°ずれた方位かつ極角６０°である方向）とにおける輝度比を示したグラフである。
【図４２】実施例６のネガ液晶＋ＴＮモード（プレチルト角＝８９．０°、Ｒｌｃ＝２９０ｎｍ）における黒輝度の視野角特性を示す。
【図４３】実施例６のネガ液晶＋ＴＮモード（プレチルト角＝８９．０°、Ｒｌｃ＝２９０ｎｍ）の極角７０°におけるＲｒｆ，ａｌｌ／Ｒｌｃに対する黒輝度を示したグラフである。
【図４４】実施例６のネガ液晶＋ＴＮモード（プレチルト角＝８９．０°、Ｒｌｃ＝３３０ｎｍ）について、正面と斜め方向（偏光子の吸収軸方向から４５°ずれた方位かつ極角６０°である方向）とにおける輝度比を示したグラフである。
【図４５】実施例６のネガ液晶＋ＴＮモード（プレチルト角＝８９．０°、プレチルト角＝８９．０°、Ｒｌｃ＝３３０ｎｍ）における黒輝度の視野角特性を示す。
【図４６】実施例６のネガ液晶＋ＴＮモード（プレチルト角＝８９．０°、Ｒｌｃ＝３３０ｎｍ）の極角７０°におけるＲｒｆ，ａｌｌ／Ｒｌｃに対する黒輝度を示したグラフである。
【図４７】実施例６のネガ液晶＋ＴＮモード（プレチルト角＝８６．５°、Ｒｌｃ＝２９０ｎｍ）について、正面と斜め方向（偏光子の吸収軸方向から４５°ずれた方位かつ極角６０°である方向）とにおける輝度比を示したグラフである。
【図４８】実施例６のネガ液晶＋ＴＮモード（プレチルト角＝８６．５°、Ｒｌｃ＝２９０ｎｍ）における黒輝度の視野角特性を示す。
【図４９】実施例６のネガ液晶＋ＴＮモード（プレチルト角＝８６．５°、Ｒｌｃ＝２９０ｎｍ）の極角７０°におけるＲｒｆ，ａｌｌ／Ｒｌｃに対する黒輝度を示したグラフである。
【符号の説明】
【０１０５】
１０ａ、１０ｂ：偏光板
１１：液晶セル
１１ａ、１１１ａ：ＴＦＴ基板側の画素
１１ｂ、１１１ｂ：ＣＦ基板側の画素
１１ｃ、１１１ｃ：画素
１２ａ、１２ｂ：偏光フィルム
１３ａ、１３ｂ：基材フィルム
１４：ポジ型Ａプレート
１５：ネガ型Ｃプレート
１６ａ、１６ｂ：２軸性フィルム
２０、２００：ＴＦＴ基板
２１：ＴＦＴ
２２：バス配線
２３：容量配線
３０、３００：ＣＦ基板
３１：ブラックマトリクス（ＢＭ）
３２：フィルタ
４１：液晶分子
４２：透明電極
４３：突起物（リブ）
４４：スリット
【図１】
2008065158.tif 000012
【図２】
2008065158.tif 000013
【図３】
2008065158.tif 000014
【図４】
2008065158.tif 000015
【図５】
2008065158.tif 000016
【図６】
2008065158.tif 000017
【図７】
2008065158.tif 000018
【図８】
2008065158.tif 000019
【図９】
2008065158.tif 000020
【図１０】
2008065158.tif 000021
【図１１】
2008065158.tif 000022
【図１２】
2008065158.tif 000023
【図１３】
2008065158.tif 000024
【図１４】
2008065158.tif 000025
【図１５】
2008065158.tif 000026
【図１６】
2008065158.tif 000027
【図１７】
2008065158.tif 000028
【図１８】
2008065158.tif 000029
【図１９】
2008065158.tif 000030
【図２０】
2008065158.tif 000031
【図２１】
2008065158.tif 000032
【図２２】
2008065158.tif 000033
【図２３】
2008065158.tif 000034
【図２４】
2008065158.tif 000035
【図２５】
2008065158.tif 000036
【図２６】
2008065158.tif 000037
【図２７】
2008065158.tif 000038
【図２８】
2008065158.tif 000039
【図２９】
2008065158.tif 000040
【図３０】
2008065158.tif 000041
【図３１】
2008065158.tif 000042
【図３２】
2008065158.tif 000043
【図３３】
2008065158.tif 000044
【図３４】
2008065158.tif 000045
【図３５】
2008065158.tif 000046
【図３６】
2008065158.tif 000047
【図３７】
2008065158.tif 000048
【図３８】
2008065158.tif 000049
【図３９】
2008065158.tif 000050
【図４０】
2008065158.tif 000051
【図４１】
2008065158.tif 000052
【図４２】
2008065158.tif 000053
【図４３】
2008065158.tif 000054
【図４４】
2008065158.tif 000055
【図４５】
2008065158.tif 000056
【図４６】
2008065158.tif 000057
【図４７】
2008065158.tif 000058
【図４８】
2008065158.tif 000059
【図４９】
2008065158.tif 000060